【事件の表示】
　特願２０００−１４９９７５「処理装置」拒絶査定不服審判事件〔平成１３年１１月３０日出願公開、特開２００１−３３３２３３〕について、次のとおり審決する。
【結　論】
　本件審判の請求は、成り立たない。
【理　由】
１．手続の経緯 　 
　本願は、平成１２年５月２２日の出願であって、平成１６年５月７日に拒絶査定がされ、これに対して同年６月１０日に拒絶査定不服審判の請求がなされるとともに、同年７月１２日に手続補正がされたものである。
　
２．平成１６年７月１２日付の手続補正についての補正却下の決定
［補正却下の決定の結論］ 
　平成１６年７月１２日付の手続補正を却下する。 
　
［理由］
　（１）本件補正後の特許請求の範囲の記載 
　本件補正により、特許請求の範囲の請求項１は、 
「表示画面の近傍に配置された操作キーを介して処理動作を実行すべき旨の指示入力を受け付ける入力表示部を備えた処理装置において、
　前記入力表示部の操作キーを介して処理動作の実行を予約する予約指示入力が選択された際に、前記表示画面に、処理動作の実行の予約指示入力を受け付ける予約指示画面の全面と、既に予約されている処理動作の内容を視認できる予約情報画面の全面と、を互いに重複しない状態で同時に表示する表示制御部であって、前記予約指示画面を前記予約情報画面よりも視認性が高い状態で表示する表示制御部を設けたことを特徴とする処理装置。」
　と補正された。
　
　上記補正は、出願当初の特許請求の範囲の請求項１に記載した発明を特定するために必要な事項に具体的な限定を行うことを目的とするものであって、特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について以下に検討する。
　
　（２）引用例
　原査定の拒絶の理由に引用された、本願出願前に頒布された、特開２０００−１０３１４６号公報（以下、「引用例」という。）には、次の事項が記載されている。
　
ア「【請求項１８】  画像形成についてジョブ予約可能な画像形成装置であって、ジョブの設定・表示を行うタッチパネルと表示手段とを有する操作表示部と、
前記表示手段のタブ表示部に複数のジョブに対応した複数のタブキーを表示するとともに、前記表示手段のジョブ表示部に１つのジョブに関連した情報を表示し、前記複数のタブキーのうちいずれか一つが前記タッチパネルから選択されると、該選択されたタブキーに対応したジョブに関連した情報を前記ジョブ表示部に表示するように制御するとともに、前記複数のタブキーを画像形成中の実行ジョブ，ジョブ予約された予約ジョブ，およびジョブ予約可能な未予約ジョブに対応するよう制御する制御手段と、を備えたことを特徴とする画像形成装置。」（３頁左欄２３行〜３５行）
　
イ「【００３３】なお、図２に操作部２００の外観の一例を示す。この図２に示すものでは、左半分が画像表示を行うＬＣＤ２９０および重ねて配置されているタッチパネル２７０である。また、右半分が、個々の機能が予め割り当てられていて独立して存在するハードウェアとしてのキー（ハードキー２５０）である。
【００３４】また、ＬＣＤ２９０における画像表示の一例としては、図３に示すように、メッセージ表示領域と、複数のジョブに対応した複数のタブキーを表示するためのタブキー表示部としてのタブキー領域と、前記タブキー領域のいずれかのタブキーに関連したジョブの情報をタブキーに連動して示すジョブ表示部としての情報表示領域と、に分けることができる。すなわち、各ジョブについて、各ジョブの名称をそれぞれ独立したタブからなる「タブキー」で表示部上のタブキー領域（図３）に示すと共に、いずれかのタブキーに関連付けられたジョブの内容ついてはタブキーに連動した「フォルダ」として表示部上の情報表示領域（図３）に内容を示すことにより、タブフォルダ形式の表示を行うことを特徴とする。」（６頁右欄１６行〜３５行）
　
ウ「【００４８】なお、この出力ジョブ実行中に、タッチパネル２７０を介してタブキーの選択があった場合は、図７のフローチャートに従って動作を行う。まず、選択されたタブキーが出力ジョブのものであれば、そのまま出力ジョブ実行中画面を表示し続ける（図７Ｓ１でＹＥＳ→→図４Ｓ５）。
【００４９】また、未予約ジョブのタブキーが選択されれば（図７Ｓ１でＮＯ→図７Ｓ２でＮＯ）、操作部ＣＰＵ２１０の指示により、ジョブ設定を受け付けるための「ジョブ設定画面」をＬＣＤ２９０に表示する（図７Ｓ３）。なお、このジョブ設定画面の一例を図７に示す。
【００５０】この図８に示す例では、左端のタブキーが前述した出力ジョブであり、左から２番目のタブキーが「ジョブ予約可」の状態から、今回選択されて予約ジョブとなる「予約ジョブ１１」に関するものである。そして、このタブキーに関連付けられたフォルダの内容が表示される様子を示している。なお、このフォルダの内容は、図５で説明したものと同様になっており、原稿と記録紙との面選択，コピー濃度，コピー倍率，出力形態，転写紙サイズ選択，応用機能の設定，などについて各種の設定入力が可能である。
【００５１】そして、以上のジョブ設定画面を表示したＬＣＤ２９０上のタッチパネル２７０から設定の操作がなされる（図７Ｓ４）。この設定の操作は、操作部ＣＰＵ２１０により受け付けられる。
【００５２】このように、出力ジョブが実行中であっても、各ジョブの名称をタブキーで示し、いずれかのジョブの内容をタブキーに連動させてフォルダで示しており、未予約のタブキーが選択されると、予約設定の操作をフォルダ上で受付けるようにしているので、複数のジョブのそれぞれの名称を把握しつつ、各ジョブの設定をダイレクトに実行できるようになる。
【００５３】なお、ハードキー２５０の「コピー」ボタンが押下されるまで、操作部ＣＰＵ２１０は以上のジョブ設定を受け付ける（図７Ｓ５でＮＯ）。すなわち、このジョブ１１について、ハードキーのスタートボタンが押下されると、予約の設定が完了したものとして、原稿の読み込みがスタートする。
【００５４】そして、ハードキー２５０の「コピー」ボタンが押下されると（図７Ｓ５でＹＥＳ）、操作部ＣＰＵ２１０は「予約内容画面」をＬＣＤ２９０に表示する（図７Ｓ６）。
【００５５】この段階では、原稿を読み込み中であるため、図９のような読み込み中の予約内容画面を表示する。そして、前記図８で予約設定入力がなされたジョブ１１についてのフォルダとして、左半分に予約設定内容を表示しており、右半分に有効機能インフォメーションの表示をしている。また、このような有効機能インフォメーションの表示により、操作可能なキーが明瞭になり、操作性が向上する。なお、この有効機能インフォメーションでは、操作可能な機能とそのキー（ハードキー）とを示しているが、このタッチパネル上でキー操作を受付けるようにしてもよい。なお、ここでは、読込中止と割り込みコピーとが有効機能の一例として示されている。
【００５６】また、原稿の読み込みが完了した場合には、原稿のページ枚数や給紙・排紙などの情報をも含めた設定詳細情報を図１０のような予約内容画面として一覧表示する。このようにジョブの予約設定が完了した時点、すなわち原稿の読み込みが完了した時点で、その予約設定された各項目の内容を一覧表示するようにしているため、ジョブ予約受付け完了時にジョブ名称と設定内容を確認困難という問題を解決できる。
【００５７】なお、このフォルダの内容は、予約受付時刻の表示と、設定変更のキーと、予約取り消しのキーとが追加された状態になっている。すなわち、設定画面そのものではなく、設定された一覧表示であるので、確認が容易になる。また、この設定の一覧を確認してから、変更や取り消しも可能になる。
【００５８】なお、操作部ＣＰＵ２１０は、この予約内容画面の表示（図７Ｓ６）を一定時間行った後に、「出力ジョブ実行中画面」の表示に戻す（図７Ｓ７でＹＥＳ→→図４Ｓ５）。なお、この段階では、出力ジョブ１０の後に予約ジョブ１１が設定されているため、出力ジョブ実行中画面は図１１１に示すように、予約ジョブ１１のタブキーが新たに発生すると共に、その右隣に予約可のタブキーが表示されるようになる。
【００５９】この出力ジョブ１０の実行中に、タッチパネル２７０を介してタブキーの選択があった場合において、予約済ジョブのタブキーであれば（図７Ｓ１でＮＯ→図７Ｓ２でＹＥＳ）、操作部ＣＰＵ２１０の指示により、予約内容を表示するための「予約ジョブ設定内容確認画面」をＬＣＤ２９０に表示する（図７Ｓ８）。なお、このジョブ設定画面の一例を図１２に示す。
【００６０】この図１２に示す例では、左端のタブキーが前述した出力ジョブであり、左から２番目のタブキーが今回選択されて確認のための表示を行う「予約ジョブ１１」に関するものである。そして、このタブキーに関連付けられたフォルダの内容が表示される様子を示している。
【００６１】なお、このフォルダの内容は、図１０で説明したものと同様であり、予約受付時刻の表示と、設定変更のキーと、予約取り消しのキーとが追加された状態になっている。すなわち、設定画面そのものではなく、設定された一覧表示であるので、確認が容易になる。この結果、ジョブ予約後において予約済みジョブ名称と設定内容を確認困難という問題を解決できる。また、予約受付時刻の表示により、その確認が容易になる。また、この設定の一覧を確認してから、変更や取り消しも可能になる。」（７頁右欄３４行〜８頁右欄３３行）
　
　したがって、アないしウの記載及び図面から、引用例には、
「表示を行うためのＬＣＤ及びＬＣＤに重ねられたタッチパネルからなる表示部とハードキーを備えた画像形成装置において、ＬＣＤには複数のタブキーを表示するタブキー領域と情報表示領域が設定されており、各タブキーは出力ジョブ、予約済みジョブ、未予約ジョブに対応しており、未予約ジョブのタブキーをタッチパネルを用いて選択すると、情報表示領域にジョブ設定を受け付けるためのジョブ設定画面を表示し、予約済ジョブのタブキーを選択すると、情報表示領域にジョブの予約内容を表示するための予約ジョブ設定内容確認画面が表示される画像形成装置。」の発明（以下「引用発明」という。）が開示されていると認めることができる。
　
　（３）対比
　引用発明の「表示画面」、「ジョブ設定画面」、「ジョブ設定内容確認画面」は、それぞれ本願補正発明の「ＬＣＤ」、「予約指示画面」、「予約情報画面」に相当する。
　
　本願補正発明と引用発明とは、予約の指示についての入力を行う手段を有するものである点で共通している。
　
　したがって、両者は、
「予約の指示についての入力を行う手段と、予約指示画面と予約内容画面とを表示する表示画面を有する装置。」
　である点で一致し、以下の点で相違している。
　
（相違点１）
　本願補正発明が「処理装置」であるのに対し、引用発明は「画像形成装置」である点。
　
（相違点２）
　本願補正発明が「表示画面の近傍に配置された操作キー」を有し、操作キーを介して処理動作の実行の指示入力、処理動作の実行を予約する入力が行われるのに対し、引用発明は、ＬＣＤに重ねられたタッチパネルとハードキーを有し、これらにより予約の指示などが入力される点。
　
（相違点３）
　本願補正発明の表示制御部が、予約指示入力が選択された際に、予約指示画面の全面と予約情報画面の全面とを互いに重複しない状態で同時に表示し、予約指示画面を予約情報画面よりも視認性が高い状態で表示するのに対し、引用発明は出力ジョブ、予約済みジョブ、未予約ジョブに対応した複数のタブキーが表示され、未予約ジョブのタブキーを選択すると、情報表示領域にジョブ設定を受け付けるためのジョブ設定画面を表示し、予約済みジョブのタブキーを選択すると対応するジョブの内容を表示するためのジョブ設定内容確認画面を表示するものである点。
　
　（４）判断
　上記相違点について検討する。
　
（相違点１について）
　表示部や操作キーを有する処理装置は周知であり、引用発明の画像形成装置の構成を処理装置に適用することは、当業者が容易になし得たことである。
　
（相違点２について）
　処理装置に属する技術分野において、情報機器のインターフェイスとして、表示画面を有する表示装置と表示画面の近傍に配置された操作キーからなる構成は周知な技術手段であるから、引用発明において、ＬＣＤに重ねられたタッチパネルとハードキーに代えて、該周知な技術手段を採用し、表示画面の近傍に配置された操作キーにより操作入力を行うよう構成することは、当業者が容易になし得たことである。
　
（相違点３について）
　処理装置に属する技術分野において、表示画面に複数の情報を表示する際に、各情報のうち一部を選択的に表示すること、又はそれぞれの情報を、表示する領域が表示画面上で互いに重ならないようにして同時に表示することは、当業者が表示画面全体の大きさや各情報の提示に必要な表示領域の大きさに基づいて適宜選択する事項である。
　また、処理装置に属する技術分野において、表示画面に複数のウインドウを表示する技術において、選択されたウインドウの表示態様をその他のウインドウの表示態様と異ならせて、視認性が高い状態で表示することは周知な技術的事項である。
　よって、引用発明の、未予約ジョブと予約済みジョブ等の各ジョブに対応して設けられたタブキーから一つを選択することにより表示される画面を切り換える構成に替えて上記の各事項を採用し、予約指示画面の全面と予約表示画面の全面が画面上で互いに重ならないように表示位置を決定し、さらに予約指示入力が選択された際には予約指示画面を他の画面の表示態様と異ならせて視認性が高い状態で表示するように表示制御する手段を設けることは、当業者が容易になし得たことである。
　
　そして、本願補正発明の作用効果も、引用例及び周知技術に記載された発明から当業者が予測できる範囲内のものである。
　したがって、本願補正発明は、引用例に記載された発明に基づいて、当業者が容易に発明をすることができたものであるから、特許法２９条２項の規定により特許出願の際独立して特許を受けることができないものである。
　
　（５）むすび
　以上のとおり、本件補正は特許法１７条の２第５項において準用する同法１２６条５項の規定に違反するので、特許法１５９条１項において読み替えて準用する同法５３条１項の規定により却下すべきものである。
　
３．本願発明について
　平成１６年７月１２日付の手続補正は上記のとおり却下されたので、本願の請求項１に係る発明（以下「本願発明」という。）は、平成１６年４月１２日付手続補正書の特許請求の範囲の請求項１に記載された事項により特定される、以下のとおりのものである。
　
「表示画面の近傍に配置された操作キーを介して処理動作を実行すべき旨の指示入力を受け付ける入力表示部を備えた処理装置において、
　前記入力表示部の操作キーを介して処理動作の実行を予約する予約指示入力が選択された際に、前記表示画面に、処理動作の実行の予約指示入力を受け付ける予約指示画面と、既に予約されている処理動作の内容を視認できる予約情報画面と、を同時に表示する表示制御部であって、前記予約指示画面を前記予約情報画面よりも視認性が高い状態で表示する表示制御部を設けたことを特徴とする処理装置。」
　
　（１）引用例
　原査定の拒絶の理由に引用された引用例及びその記載事項は、前記「２．（２）」に記載したとおりである。　
　
　（２）対比・判断
　本願発明は、前記２．で検討した本願補正発明について限定を省いたものである。
　そうすると、本願発明の構成要件をすべて含み、さらに他の限定を付加したものに相当する本願補正発明が、前記２．（４）に記載したとおり、引用例記載の発明に基づいて、当業者が容易に発明をすることができたものであるから、本願発明も同様の理由により、引用例記載の発明に基づいて、当業者が容易に発明をすることができたものである。　
　
　（３）むすび
　以上のとおり、本願発明は、引用例に記載された発明に基づいて、当業者が容易に発明をすることができたものであるから、特許法２９条２項の規定により特許を受けることができない。
　したがって、本願は他の請求項について検討するまでもなく拒絶されるべきものである。
　よって、結論のとおり審決する。